【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
ファイルを記憶する第１の記憶手段と外部と通信を行う第１の通信手段とを備えた第１の機器に搭載され、ファイルを記憶する第２の記憶手段と外部と通信を行う第２の通信手段とを備えた第２の機器に搭載される他のファイル取得装置との間で情報の授受を行って前記第２の記憶手段に記憶されたファイルを取得するファイル取得装置において、
前記第１の記憶手段に対して、ファイルの読み出しと書き込みを実行させるファイル取扱い手段と、
前記第１の通信手段に対して、情報の送信と受信とを実行させる送受信手段と、
前記第１の記憶手段に記憶されフォルダ階層構造で管理される前記ファイル毎に、当該ファイルまたはフォルダを識別するための順序付けられた固有の識別子を付与するファイル識別子付与手段と、
前記第２の機器に対して、指定する第１の識別子で特定されるフォルダ内のファイル又はフォルダの識別子を、前記フォルダに最初に格納されたファイルまたはフォルダの識別子の位置を基準として、指定する第１の数だけオフセットした位置の識別子から、指定する第２の数だけ抽出して送信するように要求するファイル識別子要求手段と、
前記ファイル識別子要求手段の要求に対応して、前記第２の機器から送信された少なくとも１つのファイル識別子から選択した第１のファイル識別子を前記第２の機器に送信するファイル要求手段と、
前記ファイル要求手段の要求に対応して、前記第２の機器から送信される前記第１のファイル識別子に対応したファイルを取得するファイル取得手段と、
を備えたことを特徴とするファイル取得装置。
【請求項２】
前記第２の機器に対して、取得対象となるファイルが格納されている前記第２の機器の記録手段の物理的または論理的アドレスを指定するストレージ識別子指定手段を更に備えたことを特徴とする請求項１に記載のファイル取得装置。
【請求項３】
前記第１の機器は、電子カメラ、ストレージ、携帯端末、携帯電話、プリンタの内いずれか１つであることを特徴とする請求項１または２に記載のファイル取得装置。
【請求項４】
ファイルを記憶する第１の記憶手段と外部と通信を行う第１の通信手段とを備えた第１の機器に搭載され、ファイルを記憶する第２の記憶手段と外部と通信を行う第２の通信手段とを備えた第２の機器に搭載される他のファイル取得装置との間で情報の授受を行って前記第２の記憶手段に記憶されたファイルを取得するファイル取得装置のファイル取得方法において、
前記ファイル取得装置は、前記第１の記憶手段に対して、ファイルの読み出しと書き込みを実行させるファイル取扱い手段と、前記第１の通信手段に対して、情報の送信と受信とを実行させる送受信手段とを備え、
前記第１の記憶手段に記憶されフォルダ階層構造で管理される前記ファイル毎に、当該ファイルまたはフォルダを識別するための順序付けられた固有の識別子を付与するファイル識別子付与ステップと、
前記第２の機器に対して、指定する第１の識別子で特定されるフォルダ内のファイル又はフォルダの識別子を、前記フォルダに最初に格納されたファイルまたはフォルダの識別子の位置を基準として、指定する第１の数だけオフセットした位置の識別子から、指定する第２の数だけ抽出して送信するように要求するファイル識別子要求ステップと、
前記ファイル識別子要求ステップでの要求に対応して、前記第２の機器から送信された少なくとも１つのファイル識別子から選択した第１のファイル識別子を前記第２の機器に送信するファイル要求ステップと、
前記ファイル要求ステップでの要求に対応して、前記第２の機器から送信される前記第１のファイル識別子に対応したファイルを取得するファイル取得ステップと、
を備えたことを特徴とするファイル取得方法。
【請求項５】
前記第２の機器に対して、取得対象となるファイルが格納されている前記第２の機器の記録手段の物理的または論理的アドレスを指定するストレージ識別子指定ステップを更に備えたことを特徴とする請求項４に記載のファイル取得方法。
【請求項６】
前記第１の機器は、電子カメラ、ストレージ、携帯端末、携帯電話、プリンタの内いずれか１つであることを特徴とする請求項１または２に記載のファイル取得方法。
【手続補正２】
【補正対象書類名】明細書
【補正対象項目名】００１２
【補正方法】変更
【補正の内容】
【００１２】
上記課題を解決するための、本発明の請求項１に記載のファイル取得装置は、ファイルを記憶する第１の記憶手段と外部と通信を行う第１の通信手段とを備えた第１の機器に搭載され、ファイルを記憶する第２の記憶手段と外部と通信を行う第２の通信手段とを備えた第２の機器に搭載される他のファイル取得装置との間で情報の授受を行って前記第２の記憶手段に記憶されたファイルを取得するファイル取得装置において、前記第１の記憶手段に対して、ファイルの読み出しと書き込みを実行させるファイル取扱い手段と、前記第１の通信手段に対して、情報の送信と受信とを実行させる送受信手段と、前記第１の記憶手段に記憶されフォルダ階層構造で管理される前記ファイル毎に、当該ファイルまたはフォルダを識別するための順序付けられた固有の識別子を付与するファイル識別子付与手段と、前記第２の機器に対して、指定する第１の識別子で特定されるフォルダ内のファイル又はフォルダの識別子を、前記フォルダに最初に格納されたファイルまたはフォルダの識別子の位置を基準として、指定する第１の数だけオフセットした位置の識別子から、指定する第２の数だけ抽出して送信するように要求するファイル識別子要求手段と、前記ファイル識別子要求手段の要求に対応して、前記第２の機器から送信された少なくとも１つのファイル識別子から選択した第１のファイル識別子を前記第２の機器に送信するファイル要求手段と、前記ファイル要求手段の要求に対応して、前記第２の機器から送信される前記第１のファイル識別子に対応したファイルを取得するファイル取得手段と、を備えた。
【手続補正３】
【補正対象書類名】明細書
【補正対象項目名】００１５
【補正方法】変更
【補正の内容】
【００１５】
また本発明の請求項４に記載のファイル取得方法は、ファイルを記憶する第１の記憶手段と外部と通信を行う第１の通信手段とを備えた第１の機器に搭載され、ファイルを記憶する第２の記憶手段と外部と通信を行う第２の通信手段とを備えた第２の機器に搭載される他のファイル取得装置との間で情報の授受を行って前記第２の記憶手段に記憶されたファイルを取得するファイル取得装置のファイル取得方法において、前記ファイル取得装置は、前記第１の記憶手段に対して、ファイルの読み出しと書き込みを実行させるファイル取扱い手段と、前記第１の通信手段に対して、情報の送信と受信とを実行させる送受信手段とを備え、前記第１の記憶手段に記憶されフォルダ階層構造で管理される前記ファイル毎に、当該ファイルまたはフォルダを識別するための順序付けられた固有の識別子を付与するファイル識別子付与ステップと、前記第２の機器に対して、指定する第１の識別子で特定されるフォルダ内のファイル又はフォルダの識別子を、前記フォルダに最初に格納されたファイルまたはフォルダの識別子の位置を基準として、指定する第１の数だけオフセットした位置の識別子から、指定する第２の数だけ抽出して送信するように要求するファイル識別子要求ステップと、前記ファイル識別子要求ステップでの要求に対応して、前記第２の機器から送信された少なくとも１つのファイル識別子から選択した第１のファイル識別子を前記第２の機器に送信するファイル要求ステップと、前記ファイル要求ステップでの要求に対応して、前記第２の機器から送信される前記第１のファイル識別子に対応したファイルを取得するファイル取得ステップと、を備えた。